(57)【特許請求の範囲】
【請求項１】
矩形断面を有し所定の長さを有する海上輸送用のコンテナに収容された船用給電パッケージであって、
先端部に陸側接続プラグを有し陸側から電力を受電する陸側給電ケーブルと、
該陸側給電ケーブルの末端部に陸電パネルを介して電気的に接続され、末端部に船側接続プラグを有し船側に電力を送電する船側給電ケーブルと、
前記陸側給電ケーブルを前記コンテナ内で巻き取り／巻き戻しするケーブルリール装置と、
前記コンテナの側面から外側に張り出した張出位置と前記コンテナの内側に収容された収容位置との間を移動可能であり、前記陸側給電ケーブルを前記張出位置で下方に向けて案内するケーブルガイドと、
前記船側接続プラグが前記コンテナの内側に収容される収容位置と前記コンテナの外側下方に位置する接続位置との間を、前記船側給電ケーブルを昇降させるケーブルリフトと、を備えたことを特徴とする船用給電パッケージ。
【請求項２】
前記ケーブルリール装置は、前記コンテナの長さ方向に延びる回転軸を中心に回転するケーブルリールを有し、
前記ケーブルガイドは、前記収容位置で前記ケーブルリール装置の下方に収容される、ことを特徴とする請求項１に記載の船用給電パッケージ。
【請求項３】
前記コンテナは、その側面に設けられ前記ケーブルガイドが通過可能なガイド用開口と、該ガイド用開口をケーブルガイドの移動に連動して開閉するガイド用開閉扉とを有する、ことを特徴とする請求項１に記載の船用給電パッケージ。
【請求項４】
前記コンテナの長さ方向両端部にそれぞれ、前記船側給電ケーブルおよびケーブルリフトが別個に設けられ、
前記コンテナは、長さ方向両端部にそれぞれ、各船側給電ケーブルの船側接続プラグを接続する電気的に接続されていないダミーソケットを有する、ことを特徴とする請求項１に記載の船用給電パッケージ。
【発明の詳細な説明】
【技術分野】
【０００１】
本発明は、船舶が停泊中に、陸上の外部電源から電力の供給を受けるための船用給電パッケージに関する。
【背景技術】
【０００２】
停泊中の船舶が、陸上の外部電源から電力の供給を受けるための船用給電パッケージとして、従来から例えば特許文献１〜３が知られている。
【０００３】
特許文献１は、内部にケーブルリールを有し、設置や移設が容易でかつ場合によってはその上に貨物又は別のコンテナを配置することが可能なコンテナ載置型受電設備を目的とする。
そのため、この装置は、図７に示すように、上部４隅に吊り下げ用金具が設けられた海上輸送用のコンテナ５１内に、船舶が港湾に係留している場合に、供給される電力を測定する電圧計５４、周波数計５５及び検相計５９、並びに回路の入切を行う遮断器５８を備え、陸上からの電力を受電する受電装置５２と、受電装置５２に陸上からの電力を供給するケーブル５３を巻回するケーブルリール５６とを配置したものである。
【０００４】
特許文献２は、既設及び新設の船舶に適用することができ、給電用のケーブルを船舶と岸壁の間で短時間に容易に掛け渡して配線することができ、船内発電装置と外部電源との切り換えを無停電で行うことができ、外部電源や船内発電装置に異常が発生しても、その影響が船内機器や外部電源におよぶのを未然に防止することができる船用給電装置とその制御方法を目的とする。
そのため、この装置は、図８に示すように、巻取ケーブル６１を巻き取り・巻き戻し可能で船外の外部電源に接続可能なケーブルリール装置６２と、ケーブルリール装置を介して供給された電力を遮断又は接続可能な第１遮断器６３と、第１遮断器を介して供給された電力を遮断又は接続可能な第２遮断器６４と、船内発電装置、ケーブルリール装置及び第２遮断器を制御する給電制御装置６６とを備えるものである。
【０００５】
特許文献３は、各船舶にそれぞれ設置する必要がなく、既設、新設のいずれの船舶にも適用でき、船舶内の電圧系統が高電圧系統でも低電圧系統でも容易に適用でき、給電用のケーブルを船舶と岸壁の間で短時間に容易に掛け渡して配線することができる船用給電パッケージとこれを用いた船舶電力供給方法を目的とする。
そのため、この装置は、図９に示すように、船舶に積込み／積下ろしが可能な船用給電パッケージ７０であり、外部電源を備えた岸壁と船舶との間で、積込み／積下ろしが可能なコンテナ７１と、コンテナに取り付けられたケーブルリール装置７２と、外部電源の電圧をそのまま取り出す外部電圧コネクタ７３と、外部電源の電圧を変圧して取り出す内部電圧コネクタ７４とを備え、外部電圧コネクタ７３又は内部電圧コネクタ７４を介して船内に電力を供給するものである。
【０００６】
【特許文献１】登録実用新案公報第３１２６６８４号、「コンテナ搭載型受電装置」
【特許文献２】特開２００６−２９００１８号公報、「船用給電装置とその制御方法」
【特許文献３】特開２００６−２９０２６２号公報、「船用給電パッケージとこれを用いた船舶電力供給方法」
【発明の開示】
【発明が解決しようとする課題】
【０００７】
上述した従来の船用給電パッケージには、以下の問題点があった。
大型船舶に使用される給電ケーブルは直径５０〜２００ミリ以上に達する太いケーブル（例えばキャプタイヤケーブル）であり、人力では持ち上げたり、曲げたりすることが困難である問題点があった。
【０００８】
また、従来の船用給電パッケージでは、海上輸送用のコンテナの下面又は長さ方向端面から給電ケーブルが巻き戻されるため、巻き戻した重い給電ケーブルを接岸した右舷（又は左舷）まで運び、そこから甲板から２０メートル程度下の岸壁まで船体に当たらないように降ろし、岸壁に設置された外部電源端子に接続する必要があり、過酷な作業となっていた。
したがって、給電ケーブルを船舶と岸壁の間に掛け渡して配線するのに時間がかかり、かつ作業環境が悪いという問題点があった。
【０００９】
また、この問題点を軽減するために、船体から張り出して船用給電パッケージを設置すると、船腹幅が広がるため船舶の運航に支障がでる可能性があり、かつその上に一般コンテナを搭載できないので、船舶の積載能力が低下する問題点があった。
【００１０】
本発明は、上述した問題点を解決するために創案されたものである。すなわち、本発明の目的は、一般の海上輸送用コンテナの設置位置に船体から張り出さずに設置でき、その上に別のコンテナを搭載可能であり、かつ人力で移動及び変形が困難な太い給電ケーブルを、船舶と岸壁の間で短時間に容易に掛け渡して配線することができる船用給電パッケージを提供することにある。
【課題を解決するための手段】
【００１１】
本発明によれば、矩形断面を有し所定の長さを有する海上輸送用のコンテナに収容された船用給電パッケージであって、
先端部に陸側接続プラグを有し陸側から電力を受電する陸側給電ケーブルと、
該陸側給電ケーブルの末端部に陸電パネルを介して電気的に接続され、末端部に船側接続プラグを有し船側に電力を送電する船側給電ケーブルと、
前記陸側給電ケーブルをコンテナ内で巻き取り／巻き戻しするケーブルリール装置と、
前記コンテナの側面から外側に張り出した張出位置とコンテナの内側に収容された収容位置との間を移動可能であり、前記陸側給電ケーブルを前記張出位置で下方に向けて案内するケーブルガイドと、
前記船側接続プラグがコンテナの内側に収容される収容位置とコンテナの外側下方に位置する接続位置との間を、前記船側給電ケーブルを昇降させるケーブルリフトと、を備えたことを特徴とする船用給電パッケージが提供される。
【００１２】
本発明の好ましい実施形態によれば、前記ケーブルリール装置は、コンテナの長さ方向に延びる回転軸を中心に回転するケーブルリールを有し、
前記ケーブルガイドは、前記収容位置で前記ケーブルリール装置の下方に収容される。
【００１３】
また、前記コンテナは、その側面に設けられ前記ケーブルガイドが通過可能なガイド用開口と、該ガイド用開口をケーブルガイドの移動に連動して開閉するガイド用開閉扉とを有する。
【００１４】
また、前記コンテナの長さ方向両端部にそれぞれ、前記船側給電ケーブルおよびケーブルリフトが別個に設けられ、
前記コンテナは、長さ方向両端部にそれぞれ、各船側給電ケーブルの船側接続プラグを接続する電気的に接続されていないダミーソケットを有する。
【発明の効果】
【００１７】
上記本発明の構成によれば、ケーブルガイドが、海上輸送用のコンテナの側面から外側に張り出した張出位置で、前記陸側給電ケーブルを下方に向けて案内するので、ケーブルリール装置で陸側給電ケーブルを繰り出し、ケーブルガイドでそのまま甲板から２０メートル程度下の岸壁まで船体に当たらないように降ろし、岸壁に設置された外部電源端子に接続することができる。
従って、人力で移動及び変形が困難な太い陸側給電ケーブルを、船舶から岸壁に短時間に容易に掛け渡して岸壁に設置された外部電源端子に接続することができる。
【００１８】
また、このケーブルガイドは、不使用時にコンテナの内側の格納位置に収容されるので、一般の海上輸送用コンテナの設置位置に船体から張り出さずに設置でき、船舶の運航に支障を与えない。
また一般の海上輸送用コンテナの設置位置に設置し、その上に一般コンテナを搭載できるので、船舶の積載能力はほとんど低下しない。
【００１９】
また、ケーブルリフトにより、船側接続プラグがコンテナの内側に位置する収容位置からコンテナの外側下方に位置する接続位置まで、船側給電ケーブルを下降させることができるので、人力で移動及び変形が困難な太い船側給電ケーブルを、ケーブルリフトの操作のみで船用給電パッケージから船体に固定された船側給電ソケットに接続することができる。
【００２０】
また、前記ケーブルリール装置が、コンテナの長さ方向に延びる回転軸を中心に回転するケーブルリールを有する構成により、コンテナの側面から外側に陸側給電ケーブルを円滑に巻き取り／巻き戻しすることができる。
さらに、前記ケーブルガイドが、前記収容位置で前記ケーブルリール装置の下方に収容される構成により、一般の海上輸送用コンテナの矩形断面内に無理なく収容することができる。
【００２１】
また、前記コンテナが、その側面に設けられ前記ケーブルガイドが通過可能なガイド用開口と、該ガイド用開口をケーブルガイドの移動に連動して開閉するガイド用開閉扉とを有する構成により、コンテナの側面から外側に張り出した位置でのガイド用開閉扉の開閉作業を無くし、作業性を高めることができる。
さらに、閉鎖位置でガイド用開閉扉を水密にすることが容易にできる。
【００２２】
また、前記コンテナの長さ方向両端部にそれぞれ、前記船側給電ケーブルおよびケーブルリフトが別個に設けられる構成により、船用給電パッケージをケーブルガイドが張り出す側を外側にして船体の右舷、左舷のどちらに設置した場合でも、コンテナの長さ方向両端部の船首側（または船尾側）の船側給電ケーブルおよびケーブルリフトを使用することができる。従って船舶側の設備計画に自由度があり、係留装置への影響を最小限とできる。
さらに、前記コンテナが、長さ方向両端部にそれぞれ、各船側給電ケーブルの船側接続プラグを接続する電気的に接続されていないダミーソケットを有する構成により、使用していない船側接続プラグを安全に保管することができる。
従って、接続装置は使用しない場合は格納されており、給電パッケージを搭載したまま航海する場合でも、接続装置が風雨に曝されるおそれがなく、設備の信頼性が確保される。
【００２３】
また、船体に固定され前記コンテナの長さ方向両端部を支持する１対の両端支持部材と、該両端支持部材の少なくとも一方の側面に取付けられ、コンテナの外側下方に位置する前記接続位置の船側接続プラグと電気的に接続可能な船側給電ソケットとを有する構成により、ケーブルリフトにより、船側接続プラグを船側給電ソケットの近くまで下降させることができるので、船用給電パッケージから船体に固定された船側給電ソケットへの接続作業が容易かつ迅速にできる。
【００２４】
また、船舶内の受電遮断器と複数の船側給電ソケットとを電気的に接続する切替盤を備え、該切替盤は、複数の船側給電ソケットのうち１つのみに排他的に接続する構成により、船体の右舷、左舷の両方に船用給電パッケージを設置した場合でも、或いは航路により１台の船用給電パッケージを左舷と右舷で積み替えることがあっても、船舶の高圧配電盤に増設する受電盤の遮断器は１台のみにできる。
【発明を実施するための最良の形態】
【００２５】
以下、本発明の好ましい実施形態を図面を参照して説明する。なお各図において、共通する部分には同一の符号を付し、重複した説明は省略する。
【００２６】
図１は、本発明の船用給電パッケージの全体構成図である。この図において、（Ａ）はコンテナ１２の側面図、（Ｂ）はそのＢ−Ｂ矢視図である。本発明の船用給電パッケージ１０は、後述する一部の構成部品を除き全体が海上輸送用のコンテナ１２に収容されている。
【００２７】
このコンテナ１２は、矩形断面を有し所定の長さを有する。好ましくは、コンテナ１２は、コンテナ船に一般的に用いられる４０フィートコンテナ（例えばこの例では、幅約２．３ｍ×高さ約２．９ｍ×長さ約１２ｍ）であり、岸壁に備えられているコンテナクレーンで岸壁と船舶との間で積込み及び積下ろしが容易にできるようになっている。
【００２８】
コンテナ１２は、各面が水密に構成されたドライコンテナであるのが好ましい。しかし本発明は、これに限定されず、その他のコンテナでもよく、４０フィートコンテナ以外のコンテナでも、開口部、開閉部、吊り部等を任意に設定したコンテナであってもよい。
【００２９】
図１（Ａ）（Ｂ）において、コンテナ１２は、側面中央部に、後述するケーブルガイド２０が通過可能なガイド用開口１２ａと、このガイド用開口１２ａをケーブルガイド２０の移動に連動して開閉するガイド用開閉扉１３とを有する。
また、コンテナ１２は、長さ方向両端部の下面にそれぞれ、船側接続プラグ用のプラグ用開口１２ｂ（図示せず：図２参照）を有し、船側給電ケーブル１６の船側接続プラグ１７がコンテナの内側から外側下方まで通過できるようになっている。
さらに、コンテナ１２は、長さ方向両端部の下面に、低圧ケーブルと信号線を通す低圧ライン用開口１２ｃ（図示せず：図２参照）を有し、この開口を通して低圧ケーブルと信号線を外部に引き出すことができるようになっている。
【００３０】
上述したガイド用開口１２ａ、プラグ用開口１２ｂ、および低圧ライン用開口１２ｃは、船舶が航海する不使用時には、開閉扉で水密に閉鎖し、接続装置が風雨に曝されるおそれがなく、設備の信頼性を確保するようになっている。
なお、低圧ケーブルと信号線は、航海中も使用できるように、防水コネクタを用いて接続するのが好ましい。
【００３１】
図２（Ａ）（Ｂ）は図１（Ｂ）のＣ−Ｃ断面図（Ａ）とＤ−Ｄ断面図（Ｂ）である。
この図に示すように、本発明の船用給電パッケージ１０は、さらに陸側給電ケーブル１４、船側給電ケーブル１６、ケーブルリール装置１８、ケーブルガイド２０（図示せず：図３参照）、およびケーブルリフト２２を備える。
【００３２】
陸側給電ケーブル１４は、先端部に陸側接続プラグ１４ａを有し、岸壁に設置された外部電源端子に接続して、陸側から電力を受電する。陸側給電ケーブル１４は、大型船舶に使用される給電ケーブルであり、この例では、６６００Ｖ用の２本の高圧ケーブルであり、それぞれ直径が５０〜２００ミリ以上に達するキャプタイヤケーブルからなる。なお、陸側給電ケーブル１４の使用本数は、給電する電力に応じて、１本でも３本以上でもよい。
【００３３】
船側給電ケーブル１６は、陸側給電ケーブル１４の末端部（例えばケーブルリール装置１８のスリップリング）に陸電パネル１５を介して電気的に接続されている。また、船側給電ケーブル１６は、末端部に船側接続プラグ１７を有し、船体に固定された船側給電ソケットに接続して、船側に電力を送電する。
この船側給電ケーブル１６は、陸側給電ケーブル１４と同一であり、この例では、６６００Ｖ用の２本の高圧ケーブルであり、それぞれ直径が５０〜２００ミリ以上に達するキャプタイヤケーブルからなる。なお、船側給電ケーブル１６の使用本数は、給電する電力に応じて、１本でも３本以上でもよい。
【００３４】
陸電パネル１５は、図５に示すように、内部に陸側給電ケーブル１４と船側給電ケーブル１６を電気的にＯＮ／ＯＦＦする遮断器１５ａ、これを制御および監視する制御装置１５ｂ、および容量切替スイッチ１５ｃを備える。
遮断器１５ａは、高電圧系統の場合、ＶＣＢ（Ｖａｃｕｕｍ  Ｃｉｒｃｕｉｔ  Ｂｒｅａｋｅｒ）であり、低電圧系統の場合、ＡＣＢ（Ａｉｒ  Ｃｉｒｃｕｉｔ  Ｂｒｅａｋｅｒ）であるのが好ましい。
なお、変圧器を船用給電パッケージ１０内に備えるか、または船内に備え、外部電源の電圧（例えば６６００Ｖ）を低電圧（例えば４４０Ｖ）に変圧し、或いは逆に低電圧の外部電圧を高電圧に変圧してもよい。
【００３５】
ケーブルリフト２２は、船側給電ケーブル１６の一部を支持するケーブル吊り具２２ａと、これを上下動させるウインチ２２ｂとからなり、船側接続プラグ１７がコンテナの内側に収容される収容位置Ｈとコンテナの外側下方に位置する接続位置Ｌとの間を、船側給電ケーブル１６を昇降させるようになっている。
【００３６】
船側給電ケーブル１６およびケーブルリフト２２はそれぞれ、コンテナ１２の長さ方向両端部に別個に設けられ、そのどちらを船体に固定された船側給電ソケットに接続しても給電できるようになっている。
【００３７】
また、コンテナ１２は、長さ方向両端部にそれぞれ、各船側給電ケーブル１６の船側接続プラグ１７を接続する電気的に接続されていないダミーソケット２４を有し、使用していない船側接続プラグ１７を安全に保管するようになっている。
【００３８】
図３は図２（Ａ）のＡ−Ａ断面図であり、（Ａ）はケーブルガイドの収容位置、（Ｂ）はケーブルガイドの張出位置を示す。
ケーブルリール装置１８は、陸側給電ケーブル１４をコンテナ１２内で巻き取り／巻き戻しする装置であり、コンテナの長さ方向に延びる回転軸を中心に回転するケーブルリール１９を有する。ケーブルリール装置１８は、電動であり、上述した陸電パネル１５によりその巻き取り／巻き戻しが制御される。この図において、ケーブルリール１９が左回転することにより陸側給電ケーブル１４が巻き戻しされ、右回転することによりケーブルリール１９に巻き取られる。
【００３９】
ケーブルガイド２０は、陸側給電ケーブル１４を下方に向けて案内するガイド部２０ａと、ガイド部２０ａをコンテナの側面から外側に向けて水平移動可能に案内する水平ガイド２０ｂとからなる。ガイド部２０ａは図示しない電動アクチュエータにより、水平ガイド２０ｂから水平に移動し、コンテナの側面から外側に張り出した張出位置Ａとコンテナの内側に収容された収容位置Ｂとの間を移動可能になっている。
また、ガイド部２０ａは、張出位置Ａで、陸側給電ケーブル１４を下方に向けて案内し、収容位置Ｂで水平ガイド２０ｂは、ケーブルリール装置１８の下方に収容されるようになっている。この収容位置Ｂにおいて、ガイド部２０ａと陸側接続プラグ１４ａは、ケーブルリール装置１８と水平ガイド２０ｂの隙間に収容される。
【００４０】
上述したガイド用開閉扉１３は、矩形扉であり、その上縁が蝶番によりコンテナ１２のガイド用開口１２ａの上部に取付けられている。この構成により、ケーブルガイド２０が収容位置Ｂから張出位置Ａへ移動する際に、ガイド部２０ａによりガイド用開閉扉１３を内側から押して外方に連動して開くことができる。
なお、ガイド用開閉扉１３の開閉機構はこの構成に限定されず、下縁に蝶番を設けてもよく、或いは上下動してもよい。
【００４１】
図４は、本発明の船用給電パッケージ１０の使用形態を示す平面図である。
この例では２基の船用給電パッケージ１０をケーブルガイド２０が張り出す側を外側にして船体の右舷と左舷の両方に設置している。２基の船用給電パッケージ１０の構成は全く同一である。なお、２基の船用給電パッケージ１０の設置位置は、一般の海上輸送用コンテナの設置位置にうち、最も外側に設置するのがよい。
この使用形態により、ケーブルガイド２０が、海上輸送用のコンテナの側面から外側に張り出した張出位置Ａで、陸側給電ケーブル１４を下方に向けて案内するので、ケーブルリール装置１８で陸側給電ケーブル１４を繰り出し、ケーブルガイド２０でそのまま甲板から２０メートル程度下の岸壁まで船体に当たらないように降ろし、岸壁に設置された外部電源端子に接続することができる。従って、人力で移動及び変形が困難な太い陸側給電ケーブル１４を、船舶から岸壁に短時間に容易に掛け渡して岸壁に設置された外部電源端子に接続することができる。
【００４２】
図５は、図４のＡ−Ａ矢視図（Ａ）とＢ−Ｂ矢視図（Ｂ）である。
この図に示すように、本発明の船用給電パッケージ１０は、それぞれコンテナ１２の外部に１対の両端支持部材３２と船側給電ソケット３４を有する。
１対の両端支持部材３２は、船体に固定されコンテナ１２の長さ方向両端部を支持する。
船側給電ソケット３４は、両端支持部材３２の少なくとも一方の側面に取付けられ、コンテナの外側下方に位置する接続位置Ｌの船側接続プラグ１７と電気的に接続するようになっている。
なお、この図で３６は、低圧ライン用ソケットであり、この例では両端支持部材３２の側面に取付けられているが、防水コネクタを用いて低圧ライン用開口１２ｃの扉、あるいはその近傍に設けてもよい。
【００４３】
図６は、船尾側から見た本発明の船用給電パッケージ１０の配線図である。
この図において、１と２は船舶内の既設の遮断器、３は新設の受電用遮断器、４は受電用遮断器を制御及び監視する制御装置である。また、この図において太線は６６００Ｖの高圧ライン、細線は４４０Ｖの低圧ライン、破線は信号ラインである。
この図に示すように、本発明の船用給電パッケージ１０は、コンテナ１２の外部にさらに切替盤３８を備える。この切替盤３８は、船舶内の受電遮断器３と複数（この例では２つ）の船側給電ソケット３４とを電気的に接続し、かつ複数の船側給電ソケットのうち１つのみに排他的に接続するようになっている。
なお、低圧ラインは、図示しない船内の低圧ラインに接続される。また図中の３９は、高圧端子盤である。
【００４４】
上述した本発明の構成によれば、ケーブルガイド２０が、海上輸送用のコンテナ１２の側面から外側に張り出した張出位置Ａで、陸側給電ケーブル１４を下方に向けて案内するので、ケーブルリール装置１８で陸側給電ケーブル１４を繰り出し、ケーブルガイド２０でそのまま甲板から２０メートル程度下の岸壁まで船体に当たらないように降ろし、岸壁に設置された外部電源端子に接続することができる。従って、人力で移動及び変形が困難な太い陸側給電ケーブル１４を、船舶から岸壁に短時間に容易に掛け渡して岸壁に設置された外部電源端子に接続することができる。
【００４５】
また、このケーブルガイド２０は、不使用時にコンテナ１２の内側の格納位置Ｂに収容されるので、一般の海上輸送用コンテナの設置位置に船体から張り出さずに設置でき、船舶の運航に支障を与えない。
また一般の海上輸送用コンテナの設置位置に設置し、その上に一般コンテナを搭載できるので、船舶の積載能力はほとんど低下しない。
【００４６】
また、ケーブルリフト２２により、船側接続プラグ１７がコンテナの内側に位置する収容位置Ｈからコンテナの外側下方に位置する接続位置Ｌまで、船側給電ケーブル１６を下降させることができるので、人力で移動及び変形が困難な太い船側給電ケーブル１６を、ケーブルリフト２２の操作のみで船用給電パッケージから船体に固定された船側給電ソケットに接続することができる。
【００４７】
また、ケーブルリール装置１８が、コンテナ１２の長さ方向に延びる回転軸を中心に回転するケーブルリール１９を有する構成により、コンテナの側面から外側に陸側給電ケーブル１４を円滑に巻き取り／巻き戻しすることができる。
さらに、ケーブルガイド２０が、収容位置Ｂでケーブルリール装置１８の下方に収容される構成により、一般の海上輸送用コンテナの矩形断面内に無理なく収容することができる。
【００４８】
また、コンテナ１２が、その側面に設けられケーブルガイド２０が通過可能なガイド用開口１２ａと、ガイド用開口１２ａをケーブルガイド２０の移動に連動して開閉するガイド用開閉扉１３とを有する構成により、コンテナの側面から外側に張り出した位置でのガイド用開閉扉１３の開閉作業を無くし、作業性を高めることができる。
さらに、閉鎖位置でガイド用開閉扉１３を水密にすることが容易にできる。
【００４９】
また、コンテナ１２の長さ方向両端部にそれぞれ、船側給電ケーブル１６およびケーブルリフト２２が別個に設けられる構成により、船用給電パッケージ１０をケーブルガイド２０が張り出す側を外側にして船体の右舷、左舷のどちらに設置した場合でも、コンテナの長さ方向両端部の船首側（または船尾側）の船側給電ケーブル１６およびケーブルリフト２２を使用することができる。従って船舶側の設備計画に自由度があり、係留装置への影響を最小限とできる。
さらに、コンテナ１２が、長さ方向両端部にそれぞれ、各船側給電ケーブル１６の船側接続プラグ１７を接続する電気的に接続されていないダミーソケット２４を有する構成により、使用していない船側接続プラグ１７を安全に保管することができる。従って、接続装置は使用しない場合は格納されており、給電パッケージを搭載したまま航海する場合でも、接続装置が風雨に曝されるおそれがなく、設備の信頼性が確保される。
【００５０】
また、船体に固定されコンテナ１２の長さ方向両端部を支持する１対の両端支持部材３２と、両端支持部材３２の少なくとも一方の側面に取付けられ、コンテナ１２の外側下方に位置する接続位置Ｌの船側接続プラグ１７と電気的に接続可能な船側給電ソケット３４とを有する構成により、ケーブルリフト２２により、船側接続プラグ１７を船側給電ソケット３４の近くまで下降させることができるので、船用給電パッケージから船体に固定された船側給電ソケット３４への接続作業が容易かつ迅速にできる。
【００５１】
また、船舶内の受電遮断器３と複数の船側給電ソケット３４とを電気的に接続する切替盤３８を備え、切替盤３８は、複数の船側給電ソケット３４のうち１つのみに排他的に接続する構成により、船体の右舷、左舷の両方に船用給電パッケージ１０を設置した場合でも、或いは航路により１台の船用給電パッケージ１０を左舷と右舷で積み替えることがあっても、船舶の高圧配電盤に増設する受電盤の遮断器３は１台のみにできる。
【００５２】
なお、本発明は上述した実施の形態に限定されず、本発明の要旨を逸脱しない範囲で種々変更できることは勿論である。
【図面の簡単な説明】
【００５３】
【図１】本発明の船用給電パッケージの全体構成図である。
【図２】図１（Ｂ）のＣ−Ｃ断面図（Ａ）とＤ−Ｄ断面図（Ｂ）である。
【図３】図２（Ａ）のＡ−Ａ断面図である。
【図４】本発明の船用給電パッケージの使用形態を示す平面図である。
【図５】図４のＡ−Ａ矢視図（Ａ）とＢ−Ｂ矢視図（Ｂ）である。
【図６】船尾側から見た本発明の船用給電パッケージの配線図である。
【図７】特許文献１のコンテナ載置型受電設備の模式図である。
【図８】特許文献２の船用給電装置の模式図である。
【図９】特許文献３の船用給電パッケージの模式図である。
【符号の説明】
【００５４】
１，２  船舶内の既設遮断器、３  受電用遮断器、４  制御装置、
１０  船用給電パッケージ、１２  コンテナ、
１２ａ  ガイド用開口、１２ｂ  プラグ用開口、
１２ｃ  低圧ライン用開口、１３  ガイド用開閉扉、
１４  陸側給電ケーブル、１４ａ  陸側接続プラグ、
１５  陸電パネル、１５ａ  遮断器、１５ｂ  制御装置、
１５ｃ  容量切替スイッチ、１６  船側給電ケーブル、
１７  船側接続プラグ、１８  ケーブルリール装置、
１９  ケーブルリール、２０  ケーブルガイド、
２０ａ  ガイド部、２０ｂ  水平ガイド、
２２  ケーブルリフト、２２ａ  ケーブル吊り具、
２２ｂ  ウインチ、２４  ダミーソケット、
３２  両端支持部材、３４  船側給電ソケット、
３６  低圧ライン用ソケット、３８  切替盤、３９  高圧端子盤
【図１】
0005090094.tif 000002
【図２】
0005090094.tif 000003
【図３】
0005090094.tif 000004
【図４】
0005090094.tif 000005
【図５】
0005090094.tif 000006
【図６】
0005090094.tif 000007
【図７】
0005090094.tif 000008
【図８】
0005090094.tif 000009
【図９】
0005090094.tif 000010